(57)【要約】【課題】合紙絵本に限られるが、外部からＩＣタグが見えないことはもちろん、取扱い時に破損することがなく、しかも価格的な観点から実使用が可能なＩＣタグ付き本を提供すること。【解決手段】合紙絵本における本文の背部にＩＣタグ用インレット１０を貼着し、その上から表紙２を被せているので、ＩＣタグ用インレット１０は外部から見えない状態になっている。しかも、表紙用のシート２ａが本文の背部に接着しておらず、背部との間に僅かな隙間が生じており、圧力を受けにくい状態になっているため、子供が乱暴に取り扱っても破損することがなく、ＩＣタグの信頼性が高いものとなる。しかも、大量生産による安価なＩＣタグ用インレットを本文の背部に貼着するだけであるので、コスト的に見ても実使用が可能である。【選択図】図１
2006297771.tif 000002
【特許請求の範囲】
【請求項１】
隣接する見開きページが１枚のシートで構成されるように２枚のシートを貼り合わせることで本文の各用紙部を形成し、さらに両側の見返しの裏面側に対して表紙用のシートをくるみ状態で貼り合わせることで表紙部を形成することにより、本文の各用紙部と表紙部とがそれぞれ２枚のシートを貼り合わせた用紙となるようにし、表紙用のシートが本文の背部に対応する中央帯状部とそれに隣接する開閉用帯状部を除いたところで見返しの裏面側に貼り合わせられてなる構成をした合紙絵本において、本文の背部にＩＣタグ用インレットを貼着したことを特徴とする合紙絵本。
【発明の詳細な説明】
【技術分野】
【０００１】
本発明は、書籍、雑誌等のいわゆる本の技術分野に属し、詳しくは、パッシブ型のＩＣタグを取り付けたＩＣタグ付き本に関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
このパッシブ型のＩＣタグは、ＩＣチップとアンテナを備えていさえすればどんな形状であってもよい。例えば、円盤型、円筒型、カード型、箱型などがあるが、いずれも長い方向で数センチほどの大きさである。また、研究開発が進み、価格についても安価になることが見えてきたことから、様々な商品にＩＣタグをつけて物流過程、保管時等における情報管理を可能にすることが提案されている。例えば、書籍、雑誌等の本にＩＣタグを付けることにより、万引き防止機能を付与するのみならず、流通過程において必要な情報の管理を行うようにしたものが提案されている。
【特許文献１】特開２００３−６３６５５号公報
【発明の開示】
【発明が解決しようとする課題】
【０００４】
上記した特許文献１に記載されている書籍、雑誌等の本は、背部の表紙内側にＩＣタグを備えた構造をしており、ＩＣタグが隠れて見えないという利点を有している。しかしながら、取扱い時や流通時においては、本の背側に外力が掛かることが多々あり、このように背部に外力が掛かると、その中のＩＣタグにも圧力が掛かって破損する恐れがあり、ＩＣタグの信頼性が損なわれるという問題点がある。特に、小さな子供を対象とした絵本のような場合、乱暴に扱われることが多いため、背部の表紙内側に取り付けたＩＣタグの破損を招く確率が高い。
【０００５】
一方、上記したパッシブ型のＩＣタグは、小型化・低価格化に向けての研究開発が行われており、最近では、極小のＩＣチップに外部アンテナを装着し、テープ状にした印刷アンテナインレット型のＩＣタグ用インレットが供給されている。そして、このＩＣタグ用インレットを用いてタグ化することで、各種用途に応じた形態のＩＣタグを製造することができるようになっており、ＩＣタグの普及を図る上においてこの小さくて安価なＩＣタグ用インレットを利用することが望ましいという背景がある。
【０００６】
本発明は、上記のような問題点や事情に鑑みてなされたものであり、その目的とするところは、合紙絵本に限られるが、外部からＩＣタグが見えないことはもちろん、取扱い時に破損することがなく、しかも価格的な観点から実使用が可能なＩＣタグ付き本を提供することにある。
【課題を解決するための手段】
【０００７】
上記の目的を達成するため、本発明のＩＣタグ付き本は、隣接する見開きページが１枚のシートで構成されるように２枚のシートを貼り合わせることで本文の各用紙部を形成し、さらに両側の見返しの裏面側に対して表紙用のシートをくるみ状態で貼り合わせることで表紙部を形成することにより、本文の各用紙部と表紙部とがそれぞれ２枚のシートを貼り合わせた用紙となるようにし、表紙用のシートが本文の背部に対応する中央帯状部とそれに隣接する開閉用帯状部を除いたところで見返しの裏面側に貼り合わせられてなる構成をした合紙絵本において、本文の背部にＩＣタグ用インレットを貼着したことを特徴としている。
【発明の効果】
【０００８】
本発明のＩＣタグ付き本は、合紙絵本における本文の背部にＩＣタグ用インレットを貼着し、その上から表紙を被せているので、ＩＣタグ用インレットは外部から見えない状態になっている。しかも、表紙用のシートが本文の背部に接着しておらず、背部との間に僅かな隙間が生じており、圧力を受けにくい状態になっているため、子供が乱暴に取り扱っても破損することがなく、ＩＣタグの信頼性が高いものとなる。しかも、大量生産による安価なＩＣタグ用インレットを本文の背部に貼着するだけであるので、コスト的に見ても実使用が可能である。
【発明を実施するための最良の形態】
【０００９】
以下、具体例を挙げて本発明の実施の形態について説明する。
【００１０】
図１は本発明に係るＩＣタグ付き本の一例を後方から見た状態で示す斜視図、図２は図１のＩＣタグ付き本を開いた状態で示す一部破断斜視図である。
【００１１】
このＩＣタグ付き本Ｂは合紙絵本をベースにしている。合紙絵本は、隣接する見開きページが１枚のシートで構成されるように２枚のシートを貼り合わせることで本文の各用紙部１が形成され、さらに両側の見返しの裏面に対して表紙用のシート２ａをくるみ状態で貼り合わせることで表紙部２が形成されており、これによって、本文の各用紙部１と表紙部２とがそれぞれ２枚のシートを貼り合わせた用紙となったものである。また、表紙用のシート２ａが本文の背部に対応する中央帯状部３とそれに隣接する開閉用帯状部４を除いたところで見返しの裏面に貼り合わせられている。そして、本発明のＩＣタグ付き本Ｂは、図示の如く、合紙絵本における本文の背部に帯状のＩＣタグ用インレット１０が天地方向に貼着されたものになっている。
【００１２】
合紙絵本に用いるシートは板紙であり、１枚でも曲がりにくいが、２枚を貼り合わせた状態では簡単に曲がるものではない。したがって、表紙用のシート２ａに対して、本文の背部に対応する中央帯状部３の両側辺にそれぞれ押罫ａ，ｂを設けるとともに、開閉用帯状部４における中央部３と反対側の辺に押罫ｃを入れてそれぞれを折曲げ可能にし、上記したように、中央帯状部３と隣接帯状部４の裏面側を接着しないようにしている。これにより、合紙絵本は図２の如く、表紙部２と各用紙部１を簡単に開くことができる。
【００１３】
ＩＣタグ用インレット１０としては、図３に示すようなものが使用される。このＩＣタグ用インレット１０は、０．０１〜０．５ｍｍ角の小さなＩＣチップ１１（例えばミューチップ）を用い、これに長さ５０〜６０ｍｍの外部アンテナ１２を装着して幅が約１ｍｍのテープ状としたものであり、ＩＣチップ１１はＰＥＴフィルム等の絶縁性のベースフィルム１３上に載置接合され、外部アンテナ１２はそのベースフィルム１３上に印刷により形成される。またＩＣチップ１１は表面及び側面が樹脂封止された状態で外部アンテナ１２に接続される。外部アンテナ１２の略中央部には、その一端が外部アンテナ１２の外縁に達するＬ字状のスリット１４が形成されており、このスリット１４の途中に樹脂封止されたＩＣチップ１１が実装されている。また、ベースフィルム１３にはＩＣチップ１１や外部アンテナ１２を保護するためのカバーフィルムが必要に応じてラミネートされる。この外部アンテナ１２付きのＩＣチップ１１は、アンテナ内蔵型のＩＣチップを用いたものよりは通信距離が長く、広い範囲で用いることができるものであり、本発明で使用できるものとして色々のものがある。このようなＩＣタグ用インレット１０は、印刷技術によりアンテナを作製することと、超音波接合技術により安価なフィルム素材を利用することで、大量生産でき、安価に供給することができる。
【００１４】
図１及び図２に示すＩＣタグ付き本Ｂを製造するには、例えば、表紙用のシートを貼る工程の前に本文の背部に対してＩＣタグ用インレット１０を貼着すればよい。そして、このように作製したＩＣタグ付き本Ｂは、外部からＩＣタグ用インレット１０が見えないものになる。また、ＩＣタグ用インレット１０は、表紙用のシート２ａの裏面ではなく、本文の背部の方に付いているので、表紙用のシート２ａが僅かな隙間を介してＩＣタグ用インレット１０を覆う状態になることから、子供が本を乱暴に扱っても、圧力を受けにくい状態になっている。
【００１５】
以上、具体例を挙げて本発明を説明したが、本発明によるＩＣタグ付き本は、上記の例に何ら限定されるものではなく、本発明の趣旨を逸脱しない範囲において種々の変更が可能であることは当然のことである。
【図面の簡単な説明】
【００１６】
【図１】本発明に係るＩＣタグ付き本の一例を後方から見た状態で示す斜視図である。
【図２】図１のＩＣタグ付き本を開いた状態で示す一部破断斜視図である。
【図３】本発明で使用するＩＣタグ用インレットの一例を示す平面図である。
【符号の説明】
【００１７】
Ｂ  ＩＣタグ付き本
１  用紙部
２  表紙部
２ａ  シート
３  中央部
４  帯状部
１０  ＩＣタグ用インレット
１１  ＩＣチップ
１２  外部アンテナ
１３  ベースフィルム
１４  スリット
ａ，ｂ，ｃ  押罫
【図１】
2006297771.tif 000003
【図２】
2006297771.tif 000004
【図３】
2006297771.tif 000005